(57)【要約】      （修正有）【課題】質感の高い装飾がされた車両用表示装置を提供する。【解決手段】表示器１０は、車両情報画像と、装飾部６０に光を照射する照明用画像とを表示する画面を有する。制御手段は、表示器１０に車両情報画像と、装飾部６０に光を照射する照明用画像を表示させる。透光性カバー２０は、表示器１０の前側に配設される。装飾部６０は、透光性カバー２０の前面側に設けられた装飾リングであり、画面から発せられた光を散乱させる微粒子を含有する。【選択図】図１
2017150821.tif 000002
【特許請求の範囲】
【請求項１】
画像を表示する画面を有する表示器と、前記表示器に前記画像を表示させる制御手段と、前記表示器の前側に配設された透光性カバーと、前記画面から発せられた光を散乱させる微粒子を含有する装飾部と、を備え、前記制御手段は、車両情報画像と、前記装飾部に光を照射する照明用画像と、を前記表示器に表示させることを特徴とする車両用表示装置。
【請求項２】
前記装飾部は、前記透光性カバーの前面側に設けられた装飾リングであることを特徴とする請求項１に記載の車両用表示装置。
【請求項３】
前記装飾部は、前記画面から発せられた光を受けていないときには無色透明であることを特徴とする請求項１または請求項２に記載の車両用表示装置。
【請求項４】
前記車両情報画像を囲む遮光部材を更に備えたことを特徴とする請求項１乃至請求項３の何れかに記載の車両用表示装置。
【請求項５】
前記透光性カバーは、透光性樹脂からなる基材と、前記基材の後面に形成された遮光部と、を有すること特徴とする請求項１乃至請求項４の何れかに記載の車両用表示装置。
【請求項６】
前記透光性カバーの前記遮光部は、前記車両情報画像を視認するための第一の開口部を有することを特徴とする請求項５に記載の車両用表示装置。
【請求項７】
前記透光性カバーの前記遮光部は、前記照明用画像からの光を通過させるための第二の開口部を有することを特徴とする請求項５または請求項６に記載の車両用表示装置。
【発明の詳細な説明】
【技術分野】
【０００１】
本発明は、画像を表示する表示器を備えた車両用表示装置に関するものである。
【背景技術】
【０００２】
従来より、表示器の画面からの光を受けて装飾部を備えた車両用表示装置が種々提案されており、例えば特許文献１に開示されている。斯かる車両用表示装置は、表示器の画面に装飾部を配置し、この装飾部を表示器の画面からの光によって透過照明するものである。装飾部は、透光性樹脂からなるものであり、リング状になっている。
【先行技術文献】
【特許文献】
【０００３】
【特許文献１】特開２００６−２０１０３８号公報
【発明の概要】
【発明が解決しようとする課題】
【０００４】
しかしながら、上述した車両用表示装置では、装飾部自体が発光しているような印象を与えることができなかったため、装飾部が質感に優れたものではなかった。つまり、装飾部は透光性樹脂のみからなる部材であったため、表示器の画面からの光が装飾部を屈折しながら透過するだけであり、装飾部自体が発光しているようには視認されないという問題を有していた。
本発明は、この問題に鑑みなされたものであり、質感の高い装飾がされた車両用表示装置を提供するものである。
【課題を解決するための手段】
【０００５】
本発明は、画像１０ａ，１０ｂ，１０ｃ，１０ｄ，１０ｅを表示する画面Ｓを有する表示器１０と、前記表示器１０に前記画像１０ａ，１０ｂ，１０ｃ，１０ｄ，１０ｅを表示させる制御手段１００と、前記表示器１０の前側に配設された透光性カバー２０，９０と、前記画面Ｓから発せられた光を散乱させる微粒子６０ａ，７０ａを含有する装飾部６０，７０と、を備え、前記制御手段１００は、車両情報画像１０ａ，１０ｂ，１０ｃと、前記装飾部６０，７０に光を照射する照明用画像１０ｄ，１０ｅと、を前記表示器１０に表示させるものである。
【０００６】
また、本発明は、前記装飾部６０は、前記透光性カバー２０の前面側に設けられた装飾リングであるものである。
【０００７】
また、本発明は、前記装飾部６０，７０は、前記画面Ｓから発せられた光を受けていないときには無色透明であるものである。
【０００８】
また、本発明は、前記車両情報画像１０ａ，１０ｂ，１０ｃを囲む遮光部材５０を更に備えたものである。
【０００９】
また、本発明は、前記透光性カバー２０は、透光性樹脂からなる基材２１と、前記基材２１の後面に形成された遮光部２３と、を有するものである。
【００１０】
また、本発明は、前記透光性カバー２０の前記遮光部２３は、前記車両情報画像１０ａ，１０ｂ，１０ｃを視認するための第一の開口部２３ａを有するものである。
【００１１】
また、本発明は、前記透光性カバー２０の前記遮光部２３は、前記照明用画像１０ｄ，１０ｅからの光を通過させるための第二の開口部２３ｂを有するものである。
【発明の効果】
【００１２】
装飾部に含有された微粒子で、照明用画像からの光を散乱させて、装飾部自体が発光しているように視認させることができるため、質感の高い車両表示装置となる。
【図面の簡単な説明】
【００１３】
【図１】本発明の第一実施形態を示す断面図。
【図２】同上実施形態を示す正面図。
【図３】同上実施形態を示す液晶表示器の正面図。
【図４】同上実施形態を示す要部拡大断面図。
【図５】同上実施形態を示すブロック図。
【図６】他の実施形態を示す要部拡大断面図。
【図７】他の実施形態を示す正面図。
【図８】本発明の第二実施形態を示す断面図。
【図９】同上実施形態を示す要部拡大断面図。
【図１０】他の実施形態を示す要部拡大断面図。
【発明を実施するための形態】
【００１４】
以下、添付図面に基づいて、本発明の一実施形態を説明する。図１乃至図５は、第一実施形態を示すものである。車両用表示装置は、液晶表示器１０，透光性カバー２０，ハウジング３０，回路基板４０，遮光部材５０，装飾リング６０を備えている。
【００１５】
液晶表示器１０は、液晶表示パネル１１及びバックライトモジュール１２をケース体１３に収納したものであり、略平板形状になっている。液晶表示パネル１１は、ＴＦＴ型フルカラーＬＣＤパネルからなるものであり、矩形の画面Ｓを有している。液晶表示パネル１１の画面Ｓには、多数の画素がマトリクス状に配置されている。バックライトモジュール１２は、液晶表示パネル１１の後側に配設されており、液晶表示パネル１１を後面から照明する。液晶表示器１０のケース体１３は、支持部１３ａを有しており、この支持部１３ａにて液晶表示器１０が回路基板４０の前面に固定されている。
【００１６】
液晶表示器１０の画面Ｓには、速度計画像１０ａ，回転計画像１０ｂ，ナビゲーション画像１０ｃ等の車両情報画像が表示される。速度計画像１０ａは、アナログ式速度計を模した画像であり、指針画像，目盛画像，数字画像を含む。回転計画像１０ｂは、アナログ式回転計を模した画像であり、指針画像，目盛画像，数字画像を含む。また、液晶表示器１０の画面Ｓには、照明用画像１０ｄ，１０ｅが表示される。照明用画像１０ｄは、速度計画像１０ａを囲むリング状画像である。照明用画像１０ｅは、回転計画像１０ｂを囲むリング状画像である。
【００１７】
透光性カバー２０は、アクリルやポリカーボネート等の透光性樹脂からなる基材２１の後面に遮光部２３を形成したものである。透光性カバー２０は、画面Ｓから離間して、液晶表示器１０の前側に配設されている。透光性カバー２０の基材２１は、全体が略均一な厚さを有する湾曲形状の部材であり、車両用表示装置を視認する者から見て凹形状（液晶表示器１０に向かって凸形状）になっている。
【００１８】
透光性カバー２０の遮光部２３は、車両情報画像（速度計画像１０ａ，回転計画像１０ｂ，ナビゲーション画像１０ｃ）を視認するための開口部２３ａと、照明用画像１０ｄ，１０ｅからの光を通過させるための開口部２３ｂと、を有している。遮光部２３の開口部２３ｂは、所定幅を有するリング状になっている。
【００１９】
ハウジング３０は、ＡＥＳ等の樹脂からなるものであり、底壁部３１及び周壁部３２を有している。ハウジング３０には、液晶表示器１０，回路基板４０，遮光部材５０が収納されている。ハウジング３０の底壁部３１には、前方に突出する突出部３１ａが形成されており、この突出部３１ａに回路基板４０が支持されている。ハウジング３０の周壁部３２の前面には透光性カバー２０が固定されている。
【００２０】
回路基板４０は、ガラスエポキシ樹脂からなる基材に銅箔からなる配線パターンを形成したものであり、ハウジング３０に収納されている。回路基板４０は、図示しない可撓性配線板によって液晶表示器１０に接続されている。回路基板４０には後述するマイコン１００等が搭載されている。
【００２１】
遮光部材５０は、不透明な樹脂からなるものであり、速度計画像１０ａ，回転計画像１０ｂを囲う内周壁５１と、この内周壁５１を囲う外周壁５２と、を有している。内周壁５１及び外周壁５２は、円筒形状になっている。内周壁５１と、外周壁５２の間隔Ｄは、装飾リング６０の所定幅Ｗと同一になっている。遮光部材５０は、車両情報画像（速度計画像１０ａ，回転計画像１０ｂ，ナビゲーション画像１０ｃ）からの光が、装飾リング６０に照射されることを防止するものである。
【００２２】
装飾リング６０は、透光性樹脂（例えば、ダイセル・エボニック社の商品名「ＰＬＥＸＧＬＡＳ  ＬＥＤ  ８Ｎ」）からなるものであり、透光性両面粘着テープ６１にて、透光性カバー２０の前面に貼着されている。装飾リング６０は、正面視で所定幅Ｗを有する円環状になっている。装飾リング６０の半径方向断面は、略半円形になっている。装飾リング６０には微粒子６０ａが含有されており、この微粒子６０ａは、照明用画像１０ｄ，１０ｅからの光を散乱させる。
【００２３】
第一実施形態では、装飾リング６０は、透光性両面粘着テープ６１にて透光性カバー２０の前面に貼着されているが、例えば、図６に示すように、透光性カバー２０の基材２１に装飾リング６０を二重成型しても良い。また、第一実施形態では、装飾リング６０は、切れ目のない円環状であったが、例えば、図７に示すように、装飾リング６０は、下方の一部が切り欠かれた円環状であっても良い。また、図１０に示すように、内周壁５１と外周壁５２の間に、導光部材１５０を設けても良い。
【００２４】
装飾リング６０は、画面Ｓからの光を受けていないときは無色透明であるが、照明用画像１０ｄ，１０ｅからの光が入射すると、微粒子６０ａによって光が散乱して、装飾リング６０が光輝する。装飾リング６０の発光色は、照明用画像１０ｄ，１０ｅの発光色に応じて変わる。例えば、照明用画像１０ｄ，１０ｅの発光色が白色であれば、装飾リング６０の発光色も白色になり、照明用画像１０ｄ，１０ｅの発光色が赤色であれば、装飾リング６０の発光色も赤色になる。
【００２５】
また、リング状の照明用画像１０ｄ，１０ｅの左半分を黄色にして、右半分を緑色にすれば、装飾リング６０の発光色も左半分が黄色で、右半分が緑色になる。また、車両の燃費状態に応じて、装飾リング６０の発光色を変えることもでき、例えば、燃費が良い状態では、装飾リング６０を緑色で光輝させ、燃費が悪い状態では、装飾リングを赤色で光輝させることができる。なお、透光性カバー２０の基材２１には微粒子６０ａが含有されていないため、液晶表示器１０の画面Ｓからの光によって光輝することはない。
【００２６】
図５は、車両用表示装置の電気的構成を示すブロック図である。マイコン１００は、ＣＰＵ１０１，ＲＯＭ１０２，ＲＡＭ１０３を有しており、液晶表示器１０の液晶表示パネル１１に速度計画像１０ａ，回転計画像１０ｂ，ナビゲーション画像１０ｃ，照明用画像１０ｄ，１０ｅを表示させる。速度センサ１１０は、車両速度を検出し、マイコン１００に速度データを出力する。回転センサ１２０は、エンジンの回転数を検出し、マイコン１００に回転数データを出力する。マイコン１００は、ＲＯＭ１０２に格納されている所定のプログラムに基づいて、液晶表示器１０の液晶表示パネル１１及びバックライトモジュール１２を駆動する。
【００２７】
図８及び図９は、第二実施形態を示すものである。車両用表示装置は、液晶表示器１０，透光性カバー９０，ハウジング３０，回路基板４０，装飾リング７０，見返し部材８０を備えている。液晶表示器１０，ハウジング３０，回路基板４０は、第一実施形態と同一であるので、説明を省略する。
【００２８】
透光性カバー９０は、アクリルやポリカーボネート等の透光性樹脂からなるものである。透光性カバー９０は、全体が略均一な厚さを有する湾曲形状の部材であり、車両用表示装置を視認する者から見て凹形状（液晶表示器１０に向かって凸形状）になっている。
【００２９】
装飾リング７０は、透光性樹脂（例えば、ダイセル・エボニック社の商品名「ＰＬＥＸＧＬＡＳ  ＬＥＤ  ８Ｎ」）からなるものであり、二重成型にて、透光性カバー９０と一体形成されている。装飾リング７０は、速度計画像１０ａ，回転計画像１０ｂを囲う円筒形状になっている。装飾リング７０には微粒子７０ａが含有されており、この微粒子７０ａは、液晶表示器１０の画面Ｓから発せられた光を散乱させる。
【００３０】
見返し部材８０は、不透明な樹脂からなるものであり、液晶表示器１０の画面Ｓ以外の部分を覆い隠す。見返し部材８０は、液晶表示器１０の画面Ｓを視認するための開口８０ａを有している。
【００３１】
第一，第二実施形態では、装飾リング６０，７０に含有された微粒子６０ａ，７０ａで、照明用画像１０ｄ，１０ｅからの光を散乱させて、装飾リング６０，７０自体が発光しているように視認させることができるため、質感の高い車両表示装置となる。
【００３２】
第一実施形態は、第二実施形態に比して、以下のような優れた作用効果を奏する。第一実施形態では、装飾リング６０が、透光性カバー２０の前面側に設けられているため、装飾リング６０が画面Ｓから離間して配設されることになり、車両用表示装置の立体感が向上する。また、装飾リング６０が画面Ｓから離間しているため、装飾リング６０が画面Ｓからの光によって光輝していることが分かり難く、不思議な感じを与えることができる。
【００３３】
また、第一実施形態では、遮光部材５０を備えているため、装飾リング６０が装飾用画像１０ｄ，１０ｅ以外からの光を受け難いため、例えば、車両情報画像（速度計画像１０ａ，回転計画像１０ｂ，ナビゲーション画像１０ｃ）からの光を受けて、所望の色以外の色で光輝する虞が少ない。
【００３４】
なお、本発明は、第一，第二実施形態に限定されるものではなく、種々の変形が可能である。例えば、第一，第二実施形態の表示器は、液晶表示器１０であったが、有機ＥＬ表示パネルであっても良い。また、装飾リング６０，７０は、通常は無色透明なものであったが、装飾リング６０，７０は、着色されたものであっても良い。
【符号の説明】
【００３５】
１０    液晶表示器（表示器）
１０ａ  速度計画像（車両情報画像）
１０ｂ  回転計画像（車両情報画像）
１０ｃ  ナビゲーション用画像（車両情報画像）
１０ｄ  照明用画像
１０ｅ  照明用画像
２０    透光性カバー
２１    基材
２３    遮光部
２３ａ  開口部（第一の開口部）
２３ｂ  開口部（第二の開口部）
５０    遮光部材
６０    装飾リング（装飾部）
６０ａ  微粒子
７０    装飾リング（装飾部）
７０ａ  微粒子
９０    透光性カバー
１００    マイコン（制御手段）
Ｓ    画面
【図１】
2017150821.tif 000003
【図２】
2017150821.tif 000004
【図３】
2017150821.tif 000005
【図４】
2017150821.tif 000006
【図５】
2017150821.tif 000007
【図６】
2017150821.tif 000008
【図７】
2017150821.tif 000009
【図８】
2017150821.tif 000010
【図９】
2017150821.tif 000011
【図１０】
2017150821.tif 000012